(57)【要約】【課題】画像形成動作の途中で電源遮断の指示を受け付けてから、電源遮断処理を制御する制御部に異常が発生した場合において、画像形成装置内に給紙済みの転写紙が残らないようにして電源遮断を実施することができる画像形成装置を提供すること。【解決手段】印刷処理の実行中に電源遮断の指示を受け付けてからメインコントローラ１１０に異常が発生してエンジンコントローラ２１０側に画像データを送信できない場合に、メインコントローラ１１０が画像データを送信できないことをエンジンコントローラ２１０側で判断して、既にレジストまで搬送された転写紙を画像形成装置１の中に残らないようにして電源遮断状態になることを特徴とする。【選択図】図３
2013080122.tif 000002
【特許請求の範囲】
【請求項１】
装置全体を制御する全体制御部と、画像形成動作を制御する画像形成動作制御部とを備える画像形成装置であって、
前記全体制御部は、
前記画像形成動作制御部に画像データを送信する画像データ送信部と、
前記画像形成動作の実行中にユーザ操作に応じて前記画像形成動作を停止する動作停止指示を受け付けた場合に、前記受け付けた動作停止指示を前記画像形成動作制御部に通知する画像形成動作停止指示通知部とを備え、
前記画像形成動作制御部は、前記画像形成動作を実行中に前記動作停止指示を受け付けたら、前記画像データ送信部に画像データ送信可否を問い合わせ、前記問い合わせの結果に基づいて前記画像データの送信が不可能であると判断した場合に、搬送されてきた転写紙を排出させることを特徴とする画像形成装置。
【請求項２】
前記画像形成動作制御部は、前記画像形成動作を実行中に前記動作停止指示を受け付けたら、前記画像データ送信部に画像データ送信可否を問い合わせ、前記問い合わせてから所定時間経過しても前記画像データ送信部から返答がなければ、前記画像データの送信が不可能であると判断することを特徴とする請求項１に記載の画像形成装置。
【請求項３】
前記画像形成動作制御部は、前記画像形成動作を実行中に前記動作停止指示を受け付けたら、前記画像データ送信部に画像データ送信可否を問い合わせ、前記全体制御部側からから画像データ送信不可の通知を受けたら、前記画像データの送信が不可能であると判断することを特徴とする請求項１に記載の画像形成装置。
【請求項４】
前記画像形成処理が施された転写紙が排出されるトレイと白紙排出トレイとを備え、
前記画像形成動作制御部は、前記画像データの送信が不可能であると判断した場合、前記搬送されてきた前記転写紙を前記白紙排出トレイに排出させることを特徴とする請求項１乃至３いずれか１項に記載の画像形成装置。
【請求項５】
前記全体制御部は、前記画像形成動作制御部が前記転写紙を排出させたら前記画像形成装置を省電力状態に移行させることを特徴とする請求項１乃至４いずれか１項に記載の画像形成装置。
【請求項６】
装置全体を制御する全体制御部と、画像形成動作を制御する画像形成動作制御部とを備える画像形成装置の制御プログラムであって、
前記全体制御部が、
前記画像形成動作制御部に画像データを送信するステップと、
前記画像形成動作の実行中にユーザ操作に応じて前記画像形成動作を停止する動作停止指示を受け付けた場合に、前記受け付けた動作停止指示を前記画像形成動作制御部に通知するステップと、
前記画像形成動作制御部が、前記画像形成動作を実行中に前記動作停止指示を受け付けたら、前記画像データ送信部に画像データ送信可否を問い合わせ、前記問い合わせの結果に基づいて前記画像データの送信が不可能であると判断した場合に、搬送されてきた転写紙を排出させるステップとを画像形成装置に実行させることを特徴とする画像形成装置の制御プログラム。
【請求項７】
装置全体を制御する全体制御部と、画像形成動作を制御する画像形成動作制御部とを備える画像形成装置の制御方法であって、
前記全体制御部が、
前記画像形成動作制御部に画像データを送信し、
前記画像形成動作の実行中にユーザ操作に応じて前記画像形成動作を停止する動作停止指示を受け付けた場合に、前記受け付けた動作停止指示を前記画像形成動作制御部に通知し、
前記画像形成動作制御部が、前記画像形成動作を実行中に前記動作停止指示を受け付けたら、前記画像データ送信部に画像データ送信可否を問い合わせ、前記問い合わせの結果に基づいて前記画像データの送信が不可能であると判断した場合に、搬送されてきた転写紙を排出させることを特徴とする画像形成装置の制御方法。
【発明の詳細な説明】
【技術分野】
【０００１】
本発明は、画像形成装置、画像形成装置の制御方法及び画像形成装置の制御プログラムに関し、特に、画像形成装置の転写紙排出制御に関する。
【背景技術】
【０００２】
近年、情報の電子化が推進される傾向にあり、電子化された情報の出力に用いられるプリンタやファクシミリ及び書類の電子化に用いるスキャナ等の画像処理装置は欠かせない機器となっている。このような画像処理装置は、撮像機能、画像形成機能及び通信機能等を備えることにより、プリンタ、ファクシミリ、スキャナ、複写機として利用可能な複合機として構成されることが多い。
【０００３】
このような画像形成装置においては、一連の画像形成動作の途中で、ユーザが予め主電源キーを押下して電源遮断を指示しておくことにより、画像形成動作の完了と同時に電源を遮断するようにした技術がある。このような画像形成装置では、画像形成動作完了後にユーザが電源遮断を指示する必要がないため、画像形成動作開始と電源遮断を指示しておけば、それ以降は画像形成装置から離れることができるという利点がある。また、ユーザが画像形成装置を離れていても画像形成動作完了後に自動で電源遮断を実施するので省エネルギー化に貢献することができる。
【０００４】
また、近年の画像形成装置においては、一連の画像形成動作の途中で、ユーザが主電源キーを押下して電源遮断を指示することにより、その画像形成動作を途中で停止させ電源遮断を実施する技術がある。このような画像形成装置においては、その電源遮断処理を実施する場合、電源遮断が指示された時点でそれ以降の新規の転写紙の給紙動作を行なわず、給紙済みの転写紙に対して画像形成処理を施した後、電源遮断処理を実施する。また、電源遮断が指示されたら、部の切れ目、即ち一連の文書の出力が完了するまでは画像形成動作を実行させ、その後、電源遮断処理を実施する技術がある（例えば、特許文献１）。このような画像形成装置では、ユーザが画像形成装置から離れなければならないときに、画像形成動作がまだしばらく完了しそうもない場合に画像形成装置の電源遮断を予約することができるので、ユーザに対する利便性の向上に貢献することができる。
【発明の概要】
【発明が解決しようとする課題】
【０００５】
ところで、このような画像形成装置は、転写紙を給紙する給紙部と、給紙部によって給紙された転写紙に対して画像形成処理を施すことにより画像を描画する画像形成処理部と、画像データを画像形成処理部に転送し、電源遮断処理の指示を受け付け電源遮断処理を制御するコントローラとを備えている。
【０００６】
このような構成を持つ従来の画像形成装置においては、画像形成動作の途中でユーザが主電源キーを押下してその画像形成動作を停止させる場合、給紙された転写紙が画像形成装置内に残ってしまい紙詰まりが起こってしまう可能性がある。これは、画像形成動作の途中で電源遮断の指示を受け付けたコントローラに異常が発生し、そのコントローラが画像形成処理部に対して画像データを転送できず、その結果、画像形成装置内に転写紙を残したまま画像形成処理部が画像データを待ち続けてしまうことによる。
【０００７】
本発明は、このような課題を解決するためになされたものであり、画像形成動作の途中で電源遮断の指示を受け付けてから、電源遮断処理を制御する制御部に異常が発生した場合において、画像形成装置内に給紙済みの転写紙が残らないようにして電源遮断を実施することができる画像形成装置を提供することを目的とする。
【課題を解決するための手段】
【０００８】
上記課題を解決するために、装置全体を制御する全体制御部と、画像形成動作を制御する画像形成動作制御部とを備える画像形成装置であって、前記全体制御部は、前記画像形成動作制御部に画像データを送信する画像データ送信部と、前記画像形成動作の実行中にユーザ操作に応じて前記画像形成動作を停止する動作停止指示を受け付けた場合に、前記受け付けた動作停止指示を前記画像形成動作制御部に通知する画像形成動作停止指示通知部とを備え、前記画像形成動作制御部は、前記画像形成動作を実行中に前記動作停止指示を受け付けたら、前記画像データ送信部に画像データ送信可否を問い合わせ、前記問い合わせの結果に基づいて前記画像データの送信が不可能であると判断した場合に、搬送されてきた転写紙を排出させることを特徴とする。
【０００９】
また、本発明の他の態様は、装置全体を制御する全体制御部と、画像形成動作を制御する画像形成動作制御部とを備える画像形成装置の制御プログラムであって、前記全体制御部が、前記画像形成動作制御部に画像データを送信するステップと、前記画像形成動作の実行中にユーザ操作に応じて前記画像形成動作を停止する動作停止指示を受け付けた場合に、前記受け付けた動作停止指示を前記画像形成動作制御部に通知するステップと、前記画像形成動作制御部が、前記画像形成動作を実行中に前記動作停止指示を受け付けたら、前記画像データ送信部に画像データ送信可否を問い合わせ、前記問い合わせの結果に基づいて前記画像データの送信が不可能であると判断した場合に、搬送されてきた転写紙を排出させるステップとを画像形成装置に実行させることを特徴とする。
【００１０】
また、本発明の更に他の態様は、装置全体を制御する全体制御部と、画像形成動作を制御する画像形成動作制御部とを備える画像形成装置の制御方法であって、前記全体制御部が、前記画像形成動作制御部に画像データを送信し、前記画像形成動作の実行中にユーザ操作に応じて前記画像形成動作を停止する動作停止指示を受け付けた場合に、前記受け付けた動作停止指示を前記画像形成動作制御部に通知し、前記画像形成動作制御部が、前記画像形成動作を実行中に前記動作停止指示を受け付けたら、前記画像データ送信部に画像データ送信可否を問い合わせ、前記問い合わせの結果に基づいて前記画像データの送信が不可能であると判断した場合に、搬送されてきた転写紙を排出させることを特徴とする。
【発明の効果】
【００１１】
本発明によれば、画像形成動作の途中で電源遮断の指示を受け付けてから、電源遮断処理を制御する制御部に異常が発生した場合において、画像形成装置内に給紙済みの転写紙が残らないようにして電源遮断を実施することができる画像形成装置を提供することができる。
【図面の簡単な説明】
【００１２】
【図１】本発明の実施形態に係る画像形成装置の全体構成を示す図である。
【図２】本発明の実施形態に係る画像形成装置のハードウェア構成を模式的に示すブロック図である。
【図３】本発明の実施形態に係る画像形成装置の機能構成を示すブロック図である。
【図４】本発明の実施形態に係る画像形成装置が印刷処理停止要求を受け付けてから印刷処理を停止するまでの処理手順を示すフローチャートである。
【発明を実施するための形態】
【００１３】
以下、図面を参照して、本発明の実施形態を詳細に説明する。本実施形態においては、画像形成装置の例として、転写紙を給紙して給紙された転写紙に画像形成を行うことによりその転写紙に画像を描画した後、その画像形成済みの転写紙を排出する画像形成装置を例として説明する。
【００１４】
本実施形態に係る画像形成装置１は、撮像機能、画像形成機能及び通信機能等を備えることにより、プリンタ、ファクシミリ、スキャナ、複写機として利用可能なＭＦＰ（ＭｕｌｔｉＦｕｎｃｔｉｏｎ  Ｐｅｒｉｐｈｅｒａｌ：複合機）である。本実施形態において、画像形成装置１は、入力された印刷ジョブに基づいて画像形成出力を実行する。図１は、本実施形態に係る画像形成装置１の全体構成を示す図である。図１に示すように、本実施形態に係る画像形成装置１は、プロッタ装置Ｕ１、転写紙格納装置Ｕ２〜Ｕ３、画像形成済転写紙後処理装置Ｕ４〜Ｕ６の各ユニットにより構成されている。
【００１５】
プロッタ装置Ｕ１は、電子写真式記録装置やインクジェット式記録装置で構成され、転写紙を給紙して画像データに基づいて画像形成処理を施すことにより転写紙へ画像を描画する。また、プロッタ装置Ｕ１は、画像形成済みの転写紙を画像形成済転写紙後処理装置Ｕ２〜Ｕ３のいずれかに搬送する。転写紙格納装置Ｕ２〜Ｕ３は転写紙を格納する装置である。例えば、図１に示すＵ２のように、プロッタ装置Ｕ１の下側に接続される比較的小容量の格納装置や、Ｕ３のように、プロッタ装置Ｕ１と並んで接続される比較的大容量の格納装置がある。これらの格納装置は、異なるサイズ毎に転写紙を格納する給紙段を備えており、各給紙段にはそれぞれ同一サイズの転写紙が格納され、プロッタ装置Ｕ１へ転写紙を搬送する。
【００１６】
画像形成済転写紙後処理装置Ｕ４〜Ｕ６は、プロッタ装置Ｕ１から排出された画像形成済みの転写紙に対して後処理を施す装置である。プロッタ装置Ｕ１には複数の画像形成済転写紙後処理装置を接続することができる。画像形成済転写紙後処理装置Ｕ４は、例えば製本用の表紙や合紙を挿入するための挿入装置であり、Ｕ５は、例えばパンチ処理を施すためのパンチ装置や製本するために用紙を折るための折り装置である。画像形成済転写紙後処理装置Ｕ６は、例えば用紙に対してステイプル処理を施すためのステイプル装置、テープ製本やリング製本、シュア製本を施すための製本装置、製本された転写紙を指定されたサイズに整えるために断裁する断裁装置である。
【００１７】
本実施形態に係る画像形成装置１はまた、図示しないステイプラー処理用のステイプル、無線綴じ製本用の接着剤、テープ製本用のテープ、リング製本用のリング、シュア製本用のバインドストリップ等の各消耗品を格納する消耗品格納ユニットを備える。尚、ステイプル処理では印刷物の綴じ枚数によってステイプルをカットする際にステイプル切り屑が発生し、パンチ処理では印刷用紙にパンチ穴をあける際にパンチ屑が発生し、製本処理では三方仕上げ裁ちやミーリング処理の際に断裁屑が発生する。従って、本実施形態に係る画像形成装置１は、これらの屑を格納するための回収ユニットを備えている。
【００１８】
次に、本実施形態に係る画像形成装置１のハードウェア構成について図２を参照して説明する。尚、画像形成装置１は、図２に示すハードウェア構成に加えて、スキャナ、プリンタ等を実現するためのエンジンを備える。図２に示すように、本実施形態に係る画像形成装置１は、一般的なサーバやＰＣ等と同様の構成を含む。即ち、本実施形態に係る画像形成装置１は、ＣＰＵ（Ｃｅｎｔｒａｌ  Ｐｒｏｃｅｓｓｉｎｇ  Ｕｎｉｔ）１０、ＲＡＭ（Ｒａｎｄｏｍ  Ａｃｃｅｓｓ  Ｍｅｍｏｒｙ）２０、ＲＯＭ（Ｒｅａｄ  Ｏｎｌｙ  Ｍｅｍｏｒｙ）３０、ＨＤＤ（Ｈａｒｄ  Ｄｉｓｋ  Ｄｒｉｖｅ）４０及びＩ／Ｆ５０がバス８０を介して接続されている。また、Ｉ／Ｆ５０にはＬＣＤ（Ｌｉｑｕｉｄ  Ｃｒｙｓｔａｌ  Ｄｉｓｐｌａｙ）６０及び操作部７０が接続されている。
【００１９】
ＣＰＵ１０は演算手段であり、画像形成装置１全体の動作を制御する。ＲＡＭ２０は、情報の高速な読み書きが可能な揮発性の記憶媒体であり、ＣＰＵ１０が情報を処理する際の作業領域として用いられる。ＲＯＭ３０は、読み出し専用の不揮発性記憶媒体であり、ファームウェア等のプログラムが格納されている。ＨＤＤ４０は、情報の読み書きが可能な不揮発性の記憶媒体であり、ＯＳ（Ｏｐｅｒａｔｉｎｇ  Ｓｙｓｔｅｍ）や各種の制御プログラム、アプリケーション・プログラム等が格納される。本実施形態に係る画像形成装置１において、ＨＤＤ４０やＲＡＭ２０は、ジョブ情報記憶部として機能する。
【００２０】
Ｉ／Ｆ５０は、バス８０と各種のハードウェアやネットワーク等を接続し制御する。ＬＣＤ６０は、ユーザが画像形成装置１の状態を確認するための視覚的ユーザインタフェースである。操作部７０は、キーボードやマウス等、ユーザが画像形成装置１に情報を入力するためのユーザインタフェースである。
【００２１】
このようなハードウェア構成において、ＲＯＭ３０やＨＤＤ４０若しくは図示しない光学ディスク等の記憶媒体に格納されたプログラムがＲＡＭ２０に読み出され、ＣＰＵ１０がＲＡＭ２０にロードされたプログラムに従って演算を行うことにより、ソフトウェア制御部が構成される。このようにして構成されたソフトウェア制御部と、ハードウェアとの組み合わせによって、本実施形態に係る画像形成装置１の機能を実現する機能ブロックが構成される。
【００２２】
次に、本実施形態に係る画像形成装置１の機能構成について、図３を参照して説明する。図３は、本実施形態に係る画像形成装置１の機能構成を示すブロック図である。図３に示すように、本実施形態に係る画像形成装置１は、本体機器部１００とエンジン機能部２００から成り、本体機器部１００は、メインコントローラ１１０、ディスプレイパネル１２０、ネットワークＩ／Ｆ１３０、シリアルＩ／Ｆ１４０を有する。エンジン機能部２００は、エンジンコントローラ２１０、ＡＤＦ（Ａｕｔｏ  Ｄｏｃｕｍｅｎｎｔ  Ｆｅｅｄｅｒ：原稿自動搬送装置）２２１、スキャナユニット２２２、排紙トレイ２２３、給紙テーブル２３１、プリントエンジン２３２、排紙トレイ２３３、シリアルＩ／Ｆ２４０を有する。
【００２３】
メインコントローラ１１０は、主制御部１１１、操作表示制御部１１２、ジョブ制御部１１３、装置制御部１１４、ネットワーク制御部１１５、入出力制御部１１６がバス１１７に接続されて構成されている。エンジンコントローラ２１０は、主制御部２１１、エンジン制御部２１２、入出力制御部２１３がバス２１４に接続されて構成されている。図２に示すように、本実施形態に係る画像形成装置１は、スキャナユニット２２２、プリントエンジン２３２を有する複合機として構成されている。尚、図３においては、電気的接続を実線の矢印で示しており、用紙若しくは文書束の流れを破線の矢印で示している。
【００２４】
主制御部１１１は、メインコントローラ１１０に含まれる各部を制御する役割を担い、メインコントローラ１１０の各部に命令を与える。操作表示制御部１１２は、ディスプレイパネル１２０に情報表示を行い若しくはディスプレイパネル１２０を介して入力された情報を装置制御部１１４に通知する。また、操作表示制御部１１２は、ディスプレイパネル１２０を介して入力された印刷ジョブをジョブ制御部１１３に通知する。ジョブ制御部１１３は操作表示制御部またはネットワーク制御部１１４から通知された印刷ジョブに基づいて印刷プロセス条件を決定する。また、ジョブ制御部１１３は、印刷出力すべき画像情報に基づいて描画情報を生成する。この描画情報とは、画像形成部であるプリントエンジン２３２が画像形成動作において形成すべき画像を描画するための情報である。
【００２５】
装置制御部１１４は、操作表示制御部１１２からディスプレイパネル１２０を介して入力された情報やネットワーク制御部１１５を介してネットワークＩ／Ｆ１３０を介して入力された情報など、画像形成装置１に対する様々な情報や要求を受け付ける。ネットワーク制御部１１５は、ネットワークＩ／Ｆ１３０を介して入力される情報を装置制御部１１４に入力する。また、ネットワーク制御部１１５は、ネットワークＩ／Ｆ１３０を介して入力される印刷ジョブをジョブ制御部１１３に通知する。入出力制御部１１６は、エンジンコントローラ２１０からシリアルＩ／Ｆ１４０を介して入力される情報をメインコントローラ１１０の各部に入力する。
【００２６】
ディスプレイパネル１２０は、画像形成装置１の状態を視覚的に表示する出力インタフェースであると共に、タッチパネルとしてユーザが画像形成装置１を直接操作し、若しくは画像形成装置１に対して情報を入力する際の入力インタフェースでもある。即ち、ディスプレイパネル１２０は、ユーザによる操作を受けるための画像を表示する機能を含む。ディスプレイパネル１２０は、図２に示すＬＣＤ６０及び操作部７０によって実現される。
【００２７】
ネットワークＩ／Ｆ１３０は、画像形成装置１がネットワークを介して図示しないクライアント端末等の他の機器と通信するためのインタフェースであり、Ｅｔｈｅｒｎｅｔ（登録商標）やＵＳＢ（Ｕｎｉｖｅｒｓａｌ  Ｓｅｒｉａｌ  Ｂｕｓ）インタフェースが用いられる。ネットワークＩ／Ｆ１３０は、図２に示すＩ／Ｆ５０によって実現される。シリアルＩ／Ｆ１４０は、メインコントローラ１１０がエンジンコントローラ２１０と通信するためのインタフェースであり、図２に示すＩ／Ｆ５０によって実現される。
【００２８】
主制御部２１１は、エンジンコントローラ２１０に含まれる各部を制御する役割を担い、エンジンコントローラ２１０の各部に命令を与える。エンジン制御部２１２は、スキャナユニット２２２やプリントエンジン２３２等を制御若しくは駆動する駆動手段としての役割を担う。
【００２９】
入出力制御部２１３は、メインコントローラ１１０からシリアルＩ／Ｆ２４０を介して入力される情報をエンジンコントローラ２１０の各部に入力する。シリアルＩ／Ｆ２４０は、エンジンコントローラ２１０がメインコントローラ１１０と通信するためのインタフェースである。
【００３０】
メインコントローラ１１０及びエンジンコントローラ２１０は、ソフトウェアとハードウェアとの組み合わせによって構成される。例えばメインコントローラ１１０の場合、具体的には、ＲＯＭ３０や不揮発性メモリ並びにＨＤＤ４０や光学ディスク等の不揮発性記憶媒体に格納されたファームウェア等の制御プログラムが、ＲＡＭ２０等の揮発性メモリ（以下、メモリ）にロードされ、ＣＰＵ１０がそれらのプログラムに従って演算を行うことにより構成されるソフトウェア制御部と集積回路などのハードウェアとによってメインコントローラ１１０が構成される。メインコントローラ１１０は本体機器部１００を制御し、エンジンコントローラ２１０はエンジン機能部２００を制御する。
【００３１】
画像形成装置１がプリンタとして動作する場合は、まず、ネットワーク制御部１１５がネットワークＩ／Ｆ１３０を介して画像データを含む印刷ジョブを受信する。ネットワーク制御部１１５は、受信した印刷ジョブをジョブ制御部１１３に転送する。ジョブ制御部１１３は、印刷ジョブを取得すると、印刷ジョブに含まれる文書情報若しくは画像情報に基づいて描画情報を生成する。入出力制御部１１６は、ジョブ制御部１１３が生成した描画情報をシリアルＩ／Ｆ１４０を介してエンジンコントローラ２１０に送信する。
【００３２】
入出力制御部２１３はシリアルＩ／Ｆ２４０を介して送信されてきた描画情報を受信すると、受信した描画情報をエンジン制御部２１２に転送する。エンジン制御部２１２は、描画情報を受信するとプリントエンジン２３２を制御して転写紙を給紙テーブル２３１から図示しないレジストまで搬送し、上記生成した描画情報に基づき、レジストまで搬送された転写紙を更に搬送してプリントエンジン２３２に画像形成を実行させる。ここで、レジストとは、転写紙の先端と画像の先端をあわせるために一度転写紙を止めてタイミングを合わせるための転写紙停止位置に設けられる機構である。プリントエンジン２３２の具体的態様としては、インクジェット方式による画像形成機構や電子写真方式による画像形成機構等を用いることが可能である。プリントエンジン２３２によって画像形成が施された転写紙は排紙トレイ２３３に排紙される。
【００３３】
このような画像形成装置１において、本実施形態に係る要旨は、印刷処理の実行中に電源遮断の指示を受け付けてからメインコントローラ１１０に異常が発生してエンジンコントローラ２１０側に画像データを送信できない場合に、メインコントローラ１１０が画像データを送信できないことをエンジンコントローラ２１０側で判断して、既にレジストまで搬送された転写紙が画像形成装置１の中に残らないようにして電源遮断状態に遷移することにある。これにより、本実施形態に係る画像形成装置１は、メインコントローラ１１０に異常が発生してエンジンコントローラ２１０側に画像データを送信できない場合における、レジストに搬送された用紙による紙詰まりを防止することができる。以下、詳細に説明する。尚、本実施形態において電源遮断状態とは、画像形成装置１の消費電力を低減するために、画像形成装置１の大半の部分に通電されていない省電力状態のことである。
【００３４】
本実施形態に係る画像形成装置１が印刷処理停止要求を受け付けてから印刷処理を停止するまでの処理を図４を参照して説明する。図４は、本実施形態に係る画像形成装置１が印刷処理停止要求を受け付けてから印刷処理を停止するまでの処理手順を示すフローチャートである。画像形成装置１が印刷処理実行中において、ユーザがディスプレイパネル１２０を操作して印刷処理停止ボタンや電源キーを押下するとまず、操作表示制御部１１２は、ディスプレイパネル１２０を介して入力された印刷処理停止要求を装置制御部１１４に通知する。印刷処理停止要求の通知を受けた装置制御部１１４は、ジョブ制御部１１３に印刷処理停止を指示する。ここで、印刷処理停止要求とは、画像形成装置１が実行中の印刷処理を途中で停止させた後に画像形成装置１を電源遮断状態に移行させるための信号のことである。
【００３５】
印刷処理停止指示を受けたジョブ制御部１１３は、現在実行中の印刷処理のうちどこまで画像形成動作を実行して印刷処理を停止するか決定する（Ｓ４０１）。印刷処理を停止するタイミングには、例えば部の切れ目、即ち一連の文書の出力が完了するタイミングなどがある。ジョブ制御部１１３は、決定した印刷処理まで画像形成動作を実行し、それ以降は印刷処理を停止する旨の実行停止指示を入出力制御部１１６、シリアルＩ／Ｆ１４０を介してエンジンコントローラ２１０に送信する。入出力制御部２１３はシリアルＩ／Ｆ２４０を介して送信されてきた実行停止指示を受信してエンジン制御部２１２に転送する。（Ｓ４０２）。
【００３６】
実行停止指示を通知されたエンジン制御部２１２は、転写紙が給紙テーブル２３１からレジストまで搬送されたら（Ｓ４０３）、ジョブ制御部１１３に対して画像データ送信可否を問い合わせる（Ｓ４０４）。ジョブ制御部１１３が画像データを送信することができない場合には（Ｓ４０５／ＮＯ）、ジョブ制御部１１３は応答せず、エンジン制御部２１２は所定時間内にジョブ制御部１１３からの応答がないことによりジョブ制御部１１３が画像データを送信することができないと判断する（Ｓ４１０）。尚、ここでは、ジョブ制御部１１３又はメインコントローラ１００側のその他の制御部からエンジン制御部２１２に画像データ送信不可を送信することにより、ジョブ制御部１１３が画像データを送信することができないことをエンジン制御部２１２に通知するように構成されていても良い。
【００３７】
エンジン制御部２１２はジョブ制御部１１３が画像データを送信することができないと判断したら、Ｓ４０３の処理でレジストまで搬送された転写紙を白紙のまま排紙トレイ２３３に排出する（Ｓ４１１）。そして、装置制御部１１４は図示しない電源供給ユニットを制御して画像形成装置１を電源遮断状態に遷移させる（Ｓ４１２）。ここで、ジョブ制御部１１３が画像データを送信することができない場合とは、例えば、メインコントローラ１１０に異常が発生して制御不能に陥るような場合である。
【００３８】
一方、ジョブ制御部１１３が画像データを送信することができる場合には（Ｓ４０５／ＹＥＳ）、ジョブ制御部１１３はエンジン制御部２１２に画像データ送信可を通知し（Ｓ４０６）、画像データを送信する（Ｓ４０７）。尚、ここでは、画像データの送信を以って画像データ送信可の通知に代えても良い。つまり、Ｓ４０６の処理を省略して、Ｓ４０７の画像データの送信を以って画像データ送信可の通知に代えても良い。
【００３９】
エンジン制御部２１２は受信した画像データに基づいて画像形成動作を実行する（Ｓ４０８）。そして、エンジン制御部２１２がこの時点で、Ｓ４０１の処理においてジョブ制御部１１３が決定した印刷処理まで画像形成動作を実行したと判断した場合には（Ｓ４０９／ＹＥＳ）、主制御部１１０は図示しない電源供給ユニットを制御して画像形成装置１を電源遮断状態に遷移させる（Ｓ４１２）。一方、エンジン制御部２１２がこの時点で、Ｓ４０１の処理においてジョブ制御部１１３が決定した印刷処理まで画像形成動作を実行していないと判断した場合には（Ｓ４０９／ＮＯ）、画像形成装置１はＳ４０１の処理においてジョブ制御部１１３が決定した印刷処理まで画像形成動作を実行するまでＳ４０３〜Ｓ４０９の処理を繰り返す。
【００４０】
このように、本実施形態に係る画像形成装置１は、印刷処理の実行中に電源遮断の指示を受け付けてからメインコントローラ１１０に異常が発生してエンジンコントローラ２１０側に画像データを送信できない場合に、メインコントローラ１１０が画像データを送信できないことをエンジンコントローラ２１０側で判断して、既にレジストまで搬送された転写紙を白紙のまま排紙する。これにより、メインコントローラ１１０に異常が発生してエンジンコントローラ２１０側に画像データを送信できない場合であっても、既にレジストまで搬送された転写紙を画像形成装置の中に残らないようにしてから電源遮断状態になるので、レジストまで搬送された転写紙の紙詰まりを防止することができる。
【００４１】
尚、本実施形態に係る画像形成装置１においては印刷処理を停止したら電源遮断状態（省電力状態）に遷移することとして説明したが、印刷処理を停止したら他の状態に移行するように構成されていても良い。ここで、他の状態とは例えば、省電力状態には消費電力の程度に基づいて複数段階があり、その複数段階の省電力状態のうち予め設定された何れかの状態のことである。
【００４２】
尚また、本実施形態においては、正常に画像形成が施された転写紙が排出されるトレイと白紙のまま排出されるトレイを同一のトレイとして説明したが、これらのトレイを別々に設けるように構成しても良い。これにより、正常に印刷された転写紙の束の中に白紙が混入することを防ぐことができるので、ユーザにとってより利便性が高いものとすることができる。
【００４３】
以上、本実施形態においては、メインコントローラ１１０は全体制御部として、エンジンコントローラ２１０は画像形成動作制御部として、ジョブ制御部１１３は画像データ送信部として、装置制御部１１４は画像形成動作停止指示通知部として機能する。
【符号の説明】
【００４４】
１  画像形成装置
１０  ＣＰＵ
２０  ＲＡＭ
３０  ＲＯＭ
４０  ＨＤＤ
５０  Ｉ／Ｆ
６０  ＬＣＤ
７０  操作部
８０  バス
１００  本体機器部
１１０  メインコントローラ
１１１  主制御部
１１２  操作表示制御部
１１３  ジョブ制御部
１１４  装置制御部
１１５  ネットワーク制御部
１１６  入出力制御部
１１７  バス
１２０  ディスプレイパネル
１３０  ネットワークＩ／Ｆ
１４０  シリアルＩ／Ｆ
２００  エンジン機能部
２１０  エンジンコントローラ
２１１  主制御部
２１２  エンジン制御部
２１３  入出力制御部
２１４  バス
２２１  ＡＤＦ
２２２  スキャナユニット
２２３  排紙トレイ
２３１  給紙テーブル
２３２  プリントエンジン
２３３  排紙トレイ
２４０  シリアルＩ／Ｆ
【先行技術文献】
【特許文献】
【００４５】
【特許文献１】特開２０００−５６６５５号公報
【図１】
2013080122.tif 000003
【図２】
2013080122.tif 000004
【図３】
2013080122.tif 000005
【図４】
2013080122.tif 000006